(57)【特許請求の範囲】
【請求項１】
左右方向に並ぶように前処理部の前面部に立設され、一側方に突出するタインの上昇動作で茎稈を引き起す複数の横回し駆動式引起装置と、
複数の横回し駆動式引起装置の上方に沿うように前処理部の上端部に左右方向を向いて配置され、各横回し駆動式引起装置に動力を伝動する引起横駆動軸と、を備え、
所定の前記横回し駆動式引起装置を前記引起横駆動軸を支点として上方に回動可能に構成したコンバインであって、
前記横回し駆動式引起装置の前側に沿い、前方に突出するタインの上昇動作で茎稈を引き起す複数の縦回し駆動式引起装置を設けるにあたり、
複数の前記縦回し駆動式引起装置をそれぞれ単一のタイン付きチェーンで構成し、各タイン付きチェーンに対して前記引起横駆動軸に設けた各駆動スプロケットに該各タイン付きチェーンを直接掛け回すことで動力をそれぞれ独立して伝動するとともに、所定の前記縦回し駆動式引起装置を前記引起横駆動軸を支点として上方に回動可能に構成したことを特徴とするコンバインの茎稈引起装置。
【請求項２】
前記縦回し駆動式引起装置の下端部を、その後方に位置する前記横回し駆動式引起装置で支持したことを特徴とする請求項１に記載のコンバインの茎稈引起装置。
【請求項３】
前記引起横駆動軸の前方及び上方を覆うトップカバーと、
前記トップカバーの左右両端部に設けられるライトユニットと、を備え、
前記トップカバーを前記ライトユニットと共に前記引起横駆動軸又はその近傍を支点として上方に回動可能に構成したことを特徴とする請求項１又は２に記載のコンバインの茎稈引起装置。
【発明の詳細な説明】
【技術分野】
【０００１】
本発明は、横回し駆動式引起装置及び縦回し駆動式引起装置を備えるコンバインの茎稈引起装置に関する。
【背景技術】
【０００２】
自脱式コンバインの前処理部には、通常、茎稈を引き起す茎稈引起装置が設けられている。この種の茎稈引起装置としては、デバイダで分草された茎稈を、一側方に突出するタイン（引起爪）の上昇動作で引き起す横回し駆動式引起装置が一般的であるが、茎稈が左右方向に倒伏していると、茎稈に対する引起作用（分草作用）が不十分になる可能性があるので、前方に突出するタインの上昇動作で茎稈を引き起す縦回し駆動式引起装置を併設する場合がある（例えば、特許文献１参照）。
【０００３】
前処理部の上端部には、左右方向を向く引起横駆動軸が配置されており、この引起横駆動軸から複数の横回し駆動式引起装置に動力を伝動するようになっている。また、縦回し駆動式引起装置を併設する場合は、引起横駆動軸から取り出した動力を複数の縦回し駆動式引起装置に伝動するようにしている。
【先行技術文献】
【特許文献】
【０００４】
【特許文献１】特許第３１１６６６３号公報
【発明の概要】
【発明が解決しようとする課題】
【０００５】
しかしながら、特許文献１に示されるように、従来のコンバインでは、引起横駆動軸の動力を複数の縦回し駆動式引起装置に伝動するにあたり、引起横駆動軸の端部から動力を取り出し、この動力を複数の縦回し駆動式引起装置に対して順次伝動しているので、伝動経路が長い複雑な伝動構成となり、部品点数の増加、前処理部の大型化、コストアップなどを招来するという問題があった。
【０００６】
また、前処理部のメンテナンス性を向上させるために、横回し駆動式引起装置を引起横駆動軸を支点として上方に回動可能に構成したコンバインが知られているが、この種のコンバインでは、縦回し駆動式引起装置を併設すると、横回し駆動式引起装置の回動が困難になるため、横回し駆動式引起装置を回動させる際には縦回し駆動式引起装置の取り外しが必要になるという問題があった。
【課題を解決するための手段】
【０００７】
本発明は、上記の如き実情に鑑みこれらの課題を解決することを目的として創作されたものであって、請求項１の発明は、左右方向に並ぶように前処理部の前面部に立設され、一側方に突出するタインの上昇動作で茎稈を引き起す複数の横回し駆動式引起装置と、複数の横回し駆動式引起装置の上方に沿うように前処理部の上端部に左右方向を向いて配置され、各横回し駆動式引起装置に動力を伝動する引起横駆動軸と、を備え、所定の前記横回し駆動式引起装置を前記引起横駆動軸を支点として上方に回動可能に構成したコンバインであって、前記横回し駆動式引起装置の前側に沿い、前方に突出するタインの上昇動作で茎稈を引き起す複数の縦回し駆動式引起装置を設けるにあたり、複数の前記縦回し駆動式引起装置をそれぞれ単一のタイン付きチェーンで構成し、各タイン付きチェーンに対して前記引起横駆動軸に設けた各駆動スプロケットに該各タイン付きチェーンを直接掛け回すことで動力をそれぞれ独立して伝動するとともに、所定の前記縦回し駆動式引起装置を前記引起横駆動軸を支点として上方に回動可能に構成したことを特徴とするコンバインの茎稈引起装置である。
請求項２の発明は、前記縦回し駆動式引起装置の下端部を、その後方に位置する前記横回し駆動式引起装置で支持したことを特徴とする請求項１に記載のコンバインの茎稈引起装置である。
請求項３の発明は、前記引起横駆動軸の前方及び上方を覆うトップカバーと、前記トップカバーの左右両端部に設けられるライトユニットと、を備え、前記トップカバーを前記ライトユニットと共に前記引起横駆動軸又はその近傍を支点として上方に回動可能に構成したことを特徴とする請求項１又は２に記載のコンバインの茎稈引起装置である。
【発明の効果】
【０００８】
請求項１の発明によれば、複数の縦回し駆動式引起装置をそれぞれ単一のタイン付きチェーンで構成し、引起横駆動軸の動力を各タイン付きチェーンに対してそれぞれ独立して伝動したので、引起横駆動軸の端部から取り出した動力を複数の縦回し駆動式引起装置に対して順次伝動する従来の伝動構成に比べ、伝動経路が短く極めてシンプルな伝動構成とすることができ、その結果、部品点数の削減、前処理部の小型化、コストダウンなどを実現することが可能となる。しかも、所定の縦回し駆動式引起装置を引起横駆動軸を支点として上方に回動可能に構成したので、縦回し駆動式引起装置を取り外さなくても、横回し駆動式引起装置を上方に回動させることができる。
また、請求項２の発明によれば、縦回し駆動式引起装置の下端部を、その後方に位置する横回し駆動式引起装置で支持したので、縦回し駆動式引起装置の下端部を固定するための固定部が不要になるだけでなく、横回し駆動式引起装置の回動ロックを解除するだけで、横回し駆動式引起装置とともに縦回し駆動式引起装置も上方に回動させることが可能になる。
また、請求項３の発明によれば、トップカバーをライトユニットと共に引起横駆動軸又はその近傍を支点として上方に回動可能に構成したので、横回し駆動式引起装置や縦回し駆動式引起装置を上方に回動させる際、トップカバーやライトユニットが邪魔になることを回避し、その取り外しを不要にできる。
【図面の簡単な説明】
【０００９】
【図１】コンバインの全体斜視図である。
【図２】コンバインの全体正面図である。
【図３】コンバインの全体右側面図である。
【図４】コンバインの全体左側面図である。
【図５】前処理部（カバー類を一部省略）の正面図である。
【図６】引起装置を上方へ回動させた状態を示す前処理部の正面図である。
【図７】前処理部の要部側面図である。
【図８】引起装置を上方へ回動させた状態を示す前処理部の要部側面図である。
【図９】引起装置を上方へ回動させた状態を示す前処理部の要部斜視図である。
【図１０】引起装置の上部側面図である。
【図１１】引起装置の下部側面図である。
【図１２】横回し駆動式引起装置の下部を示す断面図である。
【発明を実施するための形態】
【００１０】
以下、本発明の実施の形態について、図面に基づいて説明する。図１〜図４において、１はコンバインであって、該コンバイン１は、茎稈を刈り取る前処理部２と、刈り取った茎稈から穀粒を脱穀して選別する脱穀部３と、選別した穀粒を貯溜する穀粒タンク４と、穀粒タンク４内の穀粒を機外に排出する排出オーガ５と、脱穀済みの排稈を後処理する後処理部６と、運転席や各種の操作具が設けられる運転部（キャビン）７と、クローラ式の走行部８とを備えている。
【００１１】
前処理部２は、未刈り茎稈を分草するデバイダ９と、茎稈を引き起す茎稈引起装置１０と、茎稈の株元を切断する刈刃装置１１と、茎稈の株元側を掻き込むスターホイールなどの掻き込み装置１２と、掻き込まれた茎稈を脱穀部３に向けて搬送する茎稈搬送装置１３とを備えて構成されている。以下、本発明の要部である茎稈引起装置１０について、図５〜図１２を参照して説明する。
【００１２】
茎稈引起装置１０には、一側方に突出するタイン（引起爪）１４ａの上昇動作で茎稈を引き起す複数の横回し駆動式引起装置１５と、前方に突出するタイン１６ａの上昇動作で茎稈を引き起す複数の縦回し駆動式引起装置１７とが含まれている。複数の横回し駆動式引起装置１５は、左右方向に並ぶように前処理部２の前面部に立設され、縦回し駆動式引起装置１７は、横回し駆動式引起装置１５の前側に沿うように設けられる。
【００１３】
横回し駆動式引起装置１５及び縦回し駆動式引起装置１７の個数は、前処理部２の刈取条数に応じて決定される。例えば、図に示す６条刈りの前処理部２は、６つの横回し駆動式引起装置１５と４つの縦回し駆動式引起装置１７を備えており、１条目と２条目、３条目と４条目、５条目と６条目の横回し駆動式引起装置１５を、それぞれ茎稈導入経路を挟んで作用側（タイン突出側）が対向するように配置するとともに、各横回し駆動式引起装置１５の非作用側（非タイン突出側）から前方に突出するように４つの縦回し駆動式引起装置１７を配置している。
【００１４】
横回し駆動式引起装置１５は、装置上端側に配置される駆動スプロケット１８と、装置下端側に配置される従動スプロケット１９と、所定間隔を存して複数のタイン１４ａが起伏自在に枢着されたタイン付きチェーン１４とを備え、該タイン付きチェーン１４をスプロケット１８、１９間に懸回して構成されている。そして、タイン付きチェーン１４の上昇経路（作用側）では、タイン１４ａを起立させて一側方に突出させる一方、下降経路（非作用側）では、タイン１４ａを倒伏させて装置内に収容するようになっている。
【００１５】
各横回し駆動式引起装置１５の前面側は、着脱自在な横回し引起カバー２０によって覆われている。横回し引起カバー２０の上部裏面側には、左右一対の係合片２０ａが設けられており、これらの係合片２０ａを横回し駆動式引起装置１５の上部に設けられる係合棒１５ａに上方から係合させることにより、横回し引起カバー２０の上部が横回し駆動式引起装置１５側に係合状に固定される。
【００１６】
また、横回し引起カバー２０の下部前面側には、カバーロックダイアル（カバー固定具）２１が設けられている。カバーロックダイアル２１は、横回し引起カバー２０の挿通孔に挿通される軸部２１ａと、軸部２１ａの先端部に設けられ、カバーロックダイアル２１の回し操作に応じて回動するロックプレート（バネ鋼）２１ｂとを備えて構成されている。横回し駆動式引起装置１５のカバーロックダイアル２１と対向する部分には、ロックプレート２１ｂを前後方向に挿通可能な挿通孔が形成されており、この挿通孔にロックプレート２１ｂを挿通した後、カバーロックダイアル２１を９０゜回し操作して横回し駆動式引起装置１５の裏側にロックプレート２１ｂを係合させることによって、横回し引起カバー２０の下部が横回し駆動式引起装置１５に対して固定されるようになっている。また、横回し駆動式引起装置１５から横回し引起カバー２０を取り外す場合は、カバーロックダイアル２１を９０゜回し操作して上記の係合を解除した後、ロックプレート２１ｂを横回し駆動式引起装置１５の挿通孔から手前側に引き抜く。これにより、横回し引起カバー２０とカバーロックダイアル２１を横回し駆動式引起装置１５から一緒に取り外すことが可能になる。なお、非作用側が隣接する２つの横回し引起カバー２０の隣接側上部には、縦回し駆動式引起装置１７の上端部を通過させるための切り欠き部２０ｂが形成されている。
【００１７】
また、前処理部２には、後述する引起横駆動軸２６の前方及び上方を覆うトップカバー２２、トップカバー２２の左右両端部に設けられるライトユニット２３Ｌ、２３Ｒ、前処理部２の左右側面部を覆うサイドカバー２４Ｌ、２４Ｒ、引起横駆動軸２６の側方を覆う上部サイドカバー２５Ｌ、２５Ｒなどが設けられているが、トップカバー２２や上部サイドカバー２５Ｌ、２５Ｒにも、縦回し駆動式引起装置１７の上端部を通過させるための切り欠き部２２ａ、２５ａが形成されている。
【００１８】
横回し駆動式引起装置１５は、引起横駆動軸２６から伝動される動力で引起動作を行う。引起横駆動軸２６は、横駆動軸ケース２７に内装された状態で複数の横回し駆動式引起装置１５の上方に沿うように前処理部２の上端部に左右方向を向いて配置されており、走行機体側から入力される動力を、分配ケース２８に内装されるベベルギヤ機構や、縦伝動ケース２９に内装される引起縦駆動軸を介して複数の横回し駆動式引起装置１５に伝動するようになっている。
【００１９】
本実施形態では、引起横駆動軸２６の動力を各横回し駆動式引起装置１５に伝動するにあたり、それぞれ引起縦駆動軸を介して独立して伝動するようになっている。例えば、非作用側が隣接する２つの横回し駆動式引起装置１５に対しては、引起横駆動軸２６の動力を、左右に並ぶ２つの引起縦駆動軸を介してそれぞれ独立して伝動することになる。
【００２０】
縦回し駆動式引起装置１７は、装置上端側に内装される駆動スプロケット５０と、装置下端側に内装される従動スプロケット５１と、所定間隔を存して複数のタイン１６ａが起伏自在に枢着されたタイン付きチェーン１６とを備え、該タイン付きチェーン１６を駆動スプロケット５０と従動スプロケット５１との間に懸回して構成されている。そして、タイン付きチェーン１６の上昇経路（作用側）では、タイン１６ａを起立させて前方に突出させる一方、下降経路（非作用側）では、タイン１６ａを倒伏させて装置内に収容するようになっている。
【００２１】
縦回し駆動式引起装置１７は、引起横駆動軸２６から伝動される動力で引起動作を行う。ここで引起横駆動軸２６の動力は、各縦回し駆動式引起装置１７のタイン付きチェーン１６に対してそれぞれ独立して伝動されるようになっている。図７から明らかなように、左右両外側を除く縦回し駆動式引起装置１７のタイン付きチェーン１６に対しては、該タイン付きチェーン１６を引起横駆動軸２６の中間部に設けた駆動スプロケット５０に直接掛け回すことで動力を伝動し、左右両外側の縦回し駆動式引起装置１７のタイン付きチェーン１６に対しては、該タイン付きチェーン１６を引起横駆動軸２６の左右両端部に設けた駆動スプロケット５０に直接掛け回すことで動力を伝動するようになっている。
【００２２】
左右両外側を除く縦回し駆動式引起装置１７のタイン付きチェーン１６に対して、引起横駆動軸２６の中間部に設けた駆動スプロケット５０から動力を伝動するにあたり、本実施形態のコンバイン１では、前述したように、非作用側が隣接する２つの横回し駆動式引起装置１５に対して、引起横駆動軸２６の動力を、左右に並ぶ２つの引起縦駆動軸を介してそれぞれ独立して伝動するようにしてあるので、引起横駆動軸２６における２つの引起縦駆動軸の間に駆動スプロケット５０を配置し、引起縦駆動軸を迂回することなく、縦回し駆動式引起装置１７のタイン付きチェーン１６に直接動力を伝動することが可能になる。因みに、従来のコンバインでは、非作用側が隣接する２つの横回し駆動式引起装置に対して１つの引起縦駆動軸を介して動力を伝動しているので、上記のようなシンプルな伝動構成で縦回し駆動式引起装置に動力を伝動することは困難である。
【００２３】
次に、本発明の実施形態に係る茎稈引起装置１０の上方への回動構造について説明する。
【００２４】
図６、図８及び図９に示すように、所定の横回し駆動式引起装置１５及び縦回し駆動式引起装置１７は、引起横駆動軸２６を支点として上方に回動可能に構成されている。例えば、本実施形態のコンバイン１では、図６に示すように、左右両端部の横回し駆動式引起装置１５を除く４つの横回し駆動式引起装置１５と、左右両端部の縦回し駆動式引起装置１７を除く２つの縦回し駆動式引起装置１７を上方へ回動可能に構成している。
【００２５】
そして、本発明の実施形態に係るコンバイン１では、前述したように、複数の縦回し駆動式引起装置１７をそれぞれ単一のタイン付きチェーン１６で構成し、引起横駆動軸２６に設けた複数の駆動スプロケット５０から各タイン付きチェーン１６にそれぞれ直接動力を伝動するので、引起横駆動軸２６を支点とする縦回し駆動式引起装置１７の回動を簡易な構成で実現することが可能になる。
【００２６】
所定の横回し駆動式引起装置１５及び縦回し駆動式引起装置１７を引起横駆動軸２６を支点として上方に回動可能に構成する場合、縦回し駆動式引起装置１７の下端部は、その後方に位置する横回し駆動式引起装置１５で支持することが好ましい。本実施形態では、左右両側方に延出する横連結部３０ａと、その左右中間部から前方に延出する縦連結部３０ｂとを備える平面視逆Ｔ字状の連結部材を用い、図７〜図９に示すように、縦回し駆動式引起装置１７の背面に位置する２つの横回し駆動式引起装置１５の下部背面同士を連結部材３０の横連結部３０ａで連結するとともに、２つの横回し駆動式引起装置１５の隙間から前方に延出する縦連結部３０ｂで縦回し駆動式引起装置１７の下部背面を連結支持している。
【００２７】
所定の横回し駆動式引起装置１５及び縦回し駆動式引起装置１７を引起横駆動軸２６を支点として上方に回動可能に構成する場合、横回し駆動式引起装置１５及び縦回し駆動式引起装置１７の下部を前処理本体側に固定するための固定部３１と、横回し駆動式引起装置１５及び縦回し駆動式引起装置１７の下部を固定部３１に固定するための固定操作具を設けることが好ましい。本実施形態の固定部３１は、左右に縦長矩形状の係合孔３１ａが形成されたプレート部材であり、隣接する横回し駆動式引起装置１５の背面側に立設される引起支持フレーム３２の下部に溶着されている。
【００２８】
一方、本実施形態の固定操作具は、横回し引起カバー２０の下部を横回し駆動式引起装置１５の下部に固定するためのカバー固定具に兼用されている。例えば、横回し駆動式引起装置１５及び縦回し駆動式引起装置１７の下部を前処理本体側に固定する場合は、前述したカバーロックダイアル２１のロックプレート２１ｂを固定部３１の係合孔３１ａに差し込んだ後、カバーロックダイアル２１を９０゜回し操作する。これにより、ロックプレート２１ｂが固定部３１の裏側に係合し、横回し駆動式引起装置１５及び縦回し駆動式引起装置１７の上方への回動が規制される。また、回動規制を解除する場合は、カバーロックダイアル２１を９０゜回し操作し、ロックプレート２１ｂと固定部３１の係合を解除すればよい。なお、このような回動ロック構造を採用する場合、横回し引起カバー２０に横回し駆動式引起装置１５及び縦回し駆動式引起装置１７の固定荷重が作用するので、横回し引起カバー２０は、樹脂製に比して強度的に優れる鉄製とすることが好ましい。
【００２９】
また、本実施形態では、所定の横回し駆動式引起装置１５及び縦回し駆動式引起装置１７を引起横駆動軸２６を支点として上方に回動可能に構成するにあたり、前処理部２の下部から前方に突出するデバイダフレーム３３を後側デバイダフレーム３４と前側デバイダフレーム３５とに分割し、後側デバイダフレーム３４の前端部を引起支持フレーム３２を介して横回し駆動式引起装置１５及び縦回し駆動式引起装置１７の回動支点部に連結する一方、前側デバイダフレーム３５を横回し駆動式引起装置１５及び縦回し駆動式引起装置１７の下端部に連結している。
【００３０】
このようにすると、横回し駆動式引起装置１５及び縦回し駆動式引起装置１７の下端部をデバイダフレーム３３に連結するものであっても、横回し駆動式引起装置１５及び縦回し駆動式引起装置１７とデバイダフレーム３３の連結を解除することなく、横回し駆動式引起装置１５及び縦回し駆動式引起装置１７を上方へ回動させることが可能になる。
【００３１】
また、本実施形態では、前側デバイダフレーム３５の後端部に嵌合凸部３５ａを形成する一方、後側デバイダフレーム３４の前端部に平面視コ字状の嵌合凹部３４ａを形成し、通常時は、嵌合凸部３５ａを嵌合凹部３４ａに嵌合させて前側デバイダフレーム３５の後方及び左右方向への移動を規制しているので、後側デバイダフレーム３４と前側デバイダフレーム３５との連結強度を確保でき、ひいては横回し駆動式引起装置１５及び縦回し駆動式引起装置１７の下部を前側デバイダフレーム３５を介して後側デバイダフレーム３４で強固に支持することができる。
【００３２】
また、本実施形態では、所定の横回し駆動式引起装置１５及び縦回し駆動式引起装置１７を引起横駆動軸２６を支点として上方に回動可能に構成するにあたり、横回し駆動式引起装置１５と引起支持フレーム３２との間に、横回し駆動式引起装置１５を上方回動方向へ付勢するガススプリング３６を介設し、横回し駆動式引起装置１５及び縦回し駆動式引起装置１７を上方へ回動させる際の操作力を軽減している。
【００３３】
また、本実施形態では、所定の横回し駆動式引起装置１５及び縦回し駆動式引起装置１７を引起横駆動軸２６を支点として上方に回動可能に構成するにあたり、前述したトップカバー２２をライトユニット２３と共に引起横駆動軸２６又はその近傍を支点として上方に回動可能に構成している。これにより、横回し駆動式引起装置１５や縦回し駆動式引起装置１７を上方に回動させる際、トップカバー２２やライトユニット２３が邪魔になることを回避し、その取り外しを不要にできる。
【００３４】
叙述の如く構成された本実施形態によれば、左右方向に並ぶように前処理部２の前面部に立設され、一側方に突出するタイン１４ａの上昇動作で茎稈を引き起す複数の横回し駆動式引起装置１５と、複数の横回し駆動式引起装置１５の上方に沿うように前処理部２の上端部に左右方向を向いて配置され、各横回し駆動式引起装置１５に動力を伝動する引起横駆動軸２６と、を備え、所定の横回し駆動式引起装置１５を引起横駆動軸２６を支点として上方に回動可能に構成したコンバイン１であって、横回し駆動式引起装置１５の前側に沿い、前方に突出するタイン１６ａの上昇動作で茎稈を引き起す複数の縦回し駆動式引起装置１７を設けるにあたり、複数の縦回し駆動式引起装置１７をそれぞれ単一のタイン付きチェーン１６で構成し、各タイン付きチェーン１６に対して引起横駆動軸２６の動力をそれぞれ独立して伝動するとともに、所定の縦回し駆動式引起装置１７を引起横駆動軸２６を支点として上方に回動可能に構成したので、引起横駆動軸２６の端部から取り出した動力を複数の縦回し駆動式引起装置１７に対して順次伝動する従来の伝動構成に比べ、伝動経路が短く極めてシンプルな伝動構成とすることができ、その結果、部品点数の削減、前処理部の小型化、コストダウンなどを実現することが可能となる。しかも、所定の縦回し駆動式引起装置１７を引起横駆動軸２６を支点として上方に回動可能に構成したので、縦回し駆動式引起装置１７を取り外さなくても、横回し駆動式引起装置１５を上方に回動させることができる。
【００３５】
また、縦回し駆動式引起装置１７の下端部を、その後方に位置する横回し駆動式引起装置１５で支持したので、縦回し駆動式引起装置１７の下端部を固定するための固定部が不要になるだけでなく、横回し駆動式引起装置１５の回動ロックを解除するだけで、横回し駆動式引起装置１５とともに縦回し駆動式引起装置１７も上方に回動させることが可能になる。
【００３６】
また、引起横駆動軸２６の前方及び上方を覆うトップカバー２２と、トップカバー２２の左右両端部に設けられるライトユニット２３と、を備え、トップカバー２２をライトユニット２３と共に引起横駆動軸２６又はその近傍を支点として上方に回動可能に構成したので、横回し駆動式引起装置１５や縦回し駆動式引起装置１７を上方に回動させる際、トップカバー２２やライトユニット２３が邪魔になることを回避し、その取り外しを不要にできる。
【００３７】
なお、本発明は、前記実施形態に限定されないことは勿論である。例えば、前記実施形態では、横回し駆動式引起装置と縦回し駆動式引起装置を引起横駆動軸を支点として上方に回動可能に構成するにあたり、両者を一体的に連結して一緒に回動させるようにしているが、横回し駆動式引起装置と縦回し駆動式引起装置を別々に回動させるようにしてもよい。例えば、横回し駆動式引起装置を残した状態で縦回し駆動式引起装置だけを上方に回動できるようにしたものも本発明に含まれる。
【符号の説明】
【００３８】
１  コンバイン
２  前処理部
１０  茎稈引起装置
１４ａ  タイン
１４  タイン付きチェーン
１５  横回し駆動式引起装置
１６ａ  タイン
１６  タイン付きチェーン
１７  縦回し駆動式引起装置
２１  カバーロックダイアル
２２  トップカバー
２３  ライトユニット
２６  引起横駆動軸
３０  連結部材
３１  固定部
３２  引起支持フレーム
【図１】
0005851912.tif 000002
【図２】
0005851912.tif 000003
【図３】
0005851912.tif 000004
【図４】
0005851912.tif 000005
【図５】
0005851912.tif 000006
【図６】
0005851912.tif 000007
【図７】
0005851912.tif 000008
【図８】
0005851912.tif 000009
【図９】
0005851912.tif 000010
【図１０】
0005851912.tif 000011
【図１１】
0005851912.tif 000012
【図１２】
0005851912.tif 000013